(57)【要約】【課題】  プラズマディスプレイパネル用スキャンドライブ回路、駆動回路及びその駆動回路を用いた表示装置を提供する。 【解決手段】  本発明に係るプラズマディスプレイパネル(ＰＤＰ)用スキャンドライブ回路はプラズマディスプレイパネルのスキャン電極それぞれに単一スイッチング素子を対応させて構成することによってスイッチング素子の数を減し、それによりプラズマディスプレイ駆動回路及びプラズマディスプレイ表示装置の製造コストを節減することができる。【選択図】図４
2006276866.tif 000002
【特許請求の範囲】
【請求項１】
所定のノードにスキャンパルスの基準電圧を出力するスキャンアップ部と、
前記スキャンパルスのスキャン電圧を前記ノードに出力するスキャンダウン部と、
前記ノードに印加された前記基準電圧及びスキャン電圧で形成される前記スキャンパルスを前記複数個のＹ電極に提供するスキャンドライバを含み、
前記スキャンドライバは、 
所定の制御信号に応じて前記スキャン電圧を前記Ｙ電極にスイッチングする前記複数個のスイッチング素子と、  
前記基準電圧を前記Ｙ電極に供給するダイオードとを含むことを特徴とするプラズマディスプレイパネル駆動回路。
【請求項２】
前記ダイオードは、前記スイッチング素子に並列に連結されることを特徴とする請求項１に記載のプラズマディスプレイパネル駆動回路。
【請求項３】
前記スキャンドライバは、前記複数個のＹ電極のうち少なくとも一つに結合される少なくとも一つの集積回路を含むことを特徴とする請求項１に記載のプラズマディスプレイパネル駆動回路。
【請求項４】
前記少なくとも一つのスイッチング素子は、Ｎ型ＭＯＳトランジスタまたはＩＧＢＴであることを特徴とする請求項３に記載のプラズマディスプレイパネル駆動回路。
【請求項５】
前記ダイオードは、前記集積回路上の一面積に独立した回路で設計され含まれたり、前記ダイオードはスイッチング素子の設計により寄生的に形成されるものであることを特徴とする請求項３に記載のプラズマディスプレイパネル駆動回路。
【請求項６】
前記スキャンアップ部は、 
所定の制御信号に応じて、前記基準電圧が前記ノードに印加されるようにするスイッチング素子を含むことを特徴とする請求項１に記載のプラズマディスプレイパネル駆動回路。
【請求項７】
前記スキャンアップ部は、 
前記ノードに前記基準電圧より高い電圧が印加されて前記基準電圧が供給される逆方向に電流が流れることを遮断する素子を含むことを特徴とする請求項６に記載のプラズマディスプレイパネル駆動回路。
【請求項８】
前記スキャンダウン部は、前記スキャン電圧が前記ノードに印加されるようにスイッチングするスイッチング素子を含むことを特徴とする請求項１に記載のプラズマディスプレイパネル駆動回路。
【請求項９】
前記基準電圧は１０Ｖまたは０Ｖであることを特徴とする請求項１に記載のプラズマディスプレイパネル駆動回路。
【請求項１０】
前記スイッチング素子は前記ノードと各Ｙ電極との間に位置し、
前記スキャンパルスのそれぞれ異なる電圧レベルの前記スイッチング素子を通じて前記各Ｙ電極に印加されることを特徴とする請求項１に記載のプラズマディスプレイパネルの駆動回路。
【請求項１１】
前記基準電圧はスキャン電圧より大きいことを特徴とする請求項１に記載のプラズマディスプレイパネルの駆動回路。
【請求項１２】
前記スキャンパルスはスキャン区間の間前記Ｙ電極に印加されることを特徴とする請求項１１に記載のプラズマディスプレイパネルの駆動回路。
【請求項１３】
プラズマディスプレイパネルの複数個のＹ電極に供給される所定のスキャンパルスの一つの電圧レベルに対応する基準電圧を出力するスキャンアップ部と、
前記スキャンパルスの下位レベルに該当する区間に、前記スキャンパルスの一つの電圧レベルに対応するスキャン電圧を出力するスキャンダウン部と、
所定の制御信号に応じて前記基準電圧及びスキャン電圧のうち一つを選択的に前記複数個のＹ電極に出力して前記スキャンパルスを生成し、前記複数個のＹ電極に対応する複数個のスイッチング素子とを含んでなされるプラズマディスプレイパネル駆動回路。
【請求項１４】
前記複数個のスイッチング素子は、少くとも一つ以上に分けられて集積回路で形成されることを特徴とする請求項１３に記載のプラズマディスプレイパネル駆動回路。
【請求項１５】
前記スイッチング素子は、Ｎ型ＭＯＳトランジスタまたはＩＧＢＴであることを特徴とする請求項１３に記載のプラズマディスプレイパネル駆動回路。
【請求項１６】
前記スイッチング素子はスキャンパルス区間にＹ電極に前記所定の制御信号に応じて前記基準電圧またはスキャン電圧のうち一つを選択的に印加する特徴を有する請求項１３に記載のプラズマディスプレイパネル駆動回路。
【請求項１７】
前記基準電圧はスキャン電圧より大きいことを特徴とする請求項１３に記載のプラズマディスプレイパネルの駆動回路。
【請求項１８】
前記各Ｙ電極は前記スイッチング素子にだけ対応することを特徴とする請求項１３に記載のプラズマディスプレイパネルの駆動回路。
【請求項１９】
プラズマディスプレイパネルの少くとも一つのＹ電極に連結され、所定の一つのＹ電極に所定のセットアップ電圧、サステインパルス及びスキャンパルスを提供するスキャンドライブ回路において、  
前記スキャンパルスの基準電圧、前記セットアップ電圧及びサステインパルスのための経路を形成する少くとも一つのダイオードと、
前記少なくとも一つのダイオードに並列に連結され、前記スキャンパルスのスキャン電圧を所定の制御信号に応じてスイッチングすることにより、前記少くとも一つのＹ電極それぞれのスキャン区間に前記スキャンパルスを形成する少くとも一つのスイッチング素子とを含むことを特徴とするスキャンドライブ回路。
【請求項２０】
前記少くとも一つのスイッチング素子及び少くとも一つのダイオードは一つの半導体チップに集積されることを特徴とする請求項１９に記載のスキャンドライブ回路。  
【請求項２１】
前記基準電圧はスキャン電圧より大きいことを特徴とする請求項１９に記載のスキャンドライブ回路。
【請求項２２】
所定のノードに基準電圧を供給する段階と、
前記ノードにスキャン電圧を供給する段階と、
前記基準電圧とスキャン電圧に基づきスキャンパルスを形成する段階と、
スキャン区間の間にプラズマプラズマディスプレイパネルの少なくとも一つの電極に前記形成されたスキャンパルスを提供する段階とを含んでなされるプラズマディスプレイ駆動方法。
【発明の詳細な説明】
【技術分野】
【０００１】
本発明はプラズマディスプレイパネル(ＰＤＰ: Plasma Display Panel)駆動のためのスキャンドライブ回路をスキャン電極一つ当り単一スイッチング素子で構成することによってスイッチング素子の数を減し、それによりプラズマディスプレイ駆動回路の製造コストを節減することができる、プラズマディスプレイパネル用スキャンドライブ回路、駆動回路及びその駆動回路を用いた表示装置に関する。 
【背景技術】
【０００２】
プラズマディスプレイパネルは次世代平面ディスプレイ装置として注目されている。プラズマディスプレイパネルは、大画面でありながら薄厚で構成できて、壁掛けテレビ、ホームシアター(Home Theater)用ディスプレイ、ワークステーション用モニタなど多様な分野に応用されている。 
【０００３】
図１は従来のプラズマディスプレイパネルに駆動信号を供給するためのスキャン駆動回路を示す図である。 
【０００４】
同図によれば、従来のＰＤＰの駆動回路はドライブＩＣ１１、スキャンアップ部１２、スキャンダウン部１３、セットアップ供給部１４及びサステイン部１５で構成される。 
【０００５】
ドライブＩＣ(Intergrated Circuit)１１はＰＤＰのスキャン電極の数に対応する出力端子を有する。例えば、７２８ラインのスキャン電極を有する場合７２８個の出力を有すべきであり、これにより６４個の出力端子を有するドライブＩＣ１１の場合、約１２個のドライブＩＣ１１が必要である。各ライン別ドライブＩＣ１１の内部回路は二つのトランジスタＱ１１及びＱ１２がプッシュプル(push-pull)形態に接続され構成される。 
【０００６】
ＰＤＰはリセット区間、アドレス区間、サステイン区間及び消去(erase)区間とに区分される時間に伴って相異なる波形がスキャン電極に供給されながら動作する。
【０００７】
ドライブＩＣ１１はスキャン区間、すなわちアドレス区間で動作するもので、その他の区間でトランジスタＱ１２は常にターンオンした状態を維持することによりセットアップ電圧やセットダウン電圧をスキャン電極に供給する。 
【０００８】
スキャン区間は基準電圧Ｖｓｃとスキャン電圧−Ｖｙを繰り返すパルス波形がスキャン電極に供給される。これによりドライブＩＣ１１はトランジスタＱ１３を通じて基準電圧ＶｓｃをトランジスタＱ１１のドレイン(drain)端子に供給され、トランジスタＱ１６を通じてスキャン電圧−ＶｙをトランジスタＱ１２を通じて入力される。
【０００９】
スキャン区間が開始し、ドライブＩＣ１１のトランジスタＱ１１及びＱ１２が、該当スキャン電極に供給される電圧が基準電圧Ｖｓｃからスキャン電圧−Ｖｙに転換されたり、スキャン電圧−Ｖｙから基準電圧Ｖｓｃに転換される時点で、ターンオン及びターンオフを繰り返しながらスキャン電圧をスキャン電極に供給する。 
【００１０】
セットアップ供給部１４はセットアップ区間のためのセットアップ電圧を供給し、サステイン部１５はサステイン電圧を供給する。 
【００１１】
このような従来のＰＤＰ駆動回路のドライブＩＣは基本的にスキャンライン当り二つのトランジスタを備え、これによりスキャンラインに対応してドライブＩＣの数が多くなる。 
【発明の開示】
【発明が解決しようとする課題】
【００１２】
本発明の目的は、プラズマディスプレイパネル駆動用スキャンドライブ回路をスキャン電極一つ当り一つのスイッチング素子で構成することによってスイッチング素子の数を減し、それによりＰＤＰ表示装置の製造コストを節減することができる、プラズマディスプレイパネル用スキャンドライブ回路、駆動回路及びその駆動回路を用いた表示装置を提供するところにある。 
【課題を解決するための手段】
【００１３】
前述したような目的を達成するためのプラズマディスプレイパネル駆動回路は、スキャンアップ部、スキャンダウン部及びスキャンドライバとを含む。
【００１４】
スキャンアップ部は、プラズマディスプレイパネルの複数個のＹ電極に供給される所定のスキャンパルスの二つのレベルのうち上位レベルである基準電圧を前記上位レベルに該当する区間に所定ノードに出力する。ここで、スキャンアップ部は、所定の制御信号に応じて前記上位レベルに該当する区間に前記基準電圧が前記ノードに印加されるように制御するスイッチング素子を含む。ひいてはスキャンアップ部は前記ノードに前記基準電圧より高い電圧が印加され前記基準電圧が供給される逆方向に電流が流れることを遮断する素子をさらに含める。
【００１５】
スキャンダウン部は前記スキャンパルスの下位レベルであるスキャン電圧を、前記下位レベルに該当する区間に前記ノードに出力する。ここで、スキャンダウン部は前記下位レベルに該当する区間に前記スキャン電圧が前記ノードに印加されるようにスイッチングするスイッチング素子を含める。
【００１６】
スキャンドライバは前記ノードに印加された前記基準電圧及びスキャン電圧で形成される前記スキャンパルスを前記複数個のＹ電極に提供する。前記スキャンドライバは、所定の制御信号に応じて前記スキャン電圧を前記Ｙ電極にスイッチングする前記複数個スイッチング素子及び前記スイッチング素子に並列に連結され前記基準電圧を前記Ｙ電極に供給するダイオードとを含む。
【００１７】
前記スキャンドライバは、前記複数個のＹ電極のうち一部に連結される少くとも一つの集積回路(ＩＣ)で形成されうる。ここで、前記スイッチング素子は、Ｎ型ＭＯＳ(Metal Oxide Semiconductor)トランジスタまたはＩＧＢＴ(Insulated Gate Bipolar Transistor)であり、前記ダイオードは前記集積回路上の一面積に独立した回路で設計され含まれたり、前記スイッチング素子の設計により形成されうる。
【００１８】
前記基準電圧は１０Ｖまたは０Ｖのものが望ましい。
【００１９】
本発明の他の実施形態によるプラズマディスプレイパネル駆動回路は、プラズマディスプレイパネルの複数個のＹ電極に供給される所定のスキャンパルスの二つのレベルのうち上位レベルである基準電圧を出力するスキャンアップ部、前記スキャンパルスの下位レベルに該当する区間に、前記下位レベルに該当するスキャン電圧を出力するスキャンダウン部及び所定の制御信号に応じて、前記基準電圧及びスキャン電圧のうち一つを選択的に前記複数個のＹ電極に出力して前記スキャンパルスを生成し、前記複数個のＹ電極に一対一対応する複数個のスイッチング素子を含める。
【００２０】
本発明のさらに他の実施形態によるプラズマディスプレイパネルを備えた表示装置は、以上のプラズマディスプレイパネル駆動回路を含んで、所定の映像信号に対応する映像を視覚的に認識できるように表示可能である。
【００２１】
本発明のさらに他の実施形態により、プラズマディスプレイパネルの少くとも一つのＹ電極に連結され、所定のセットアップ電圧、サステインパルス及びスキャンパルスを提供するスキャンドライブ回路は、前記スキャンパルスの二つのレベルのうち上位レベルである基準電圧、前記セットアップ電圧及びサステインパルスのための経路を形成する少くとも一つのダイオードを含む。また、前記ダイオードそれぞれに並列に連結され、前記スキャンパルスの下位レベルの電圧を所定の制御信号に応じてスイッチングすることにより前記少くとも一つのＹ電極それぞれの個別スキャン区間に前記スキャンパルスを形成し、前記少くとも一つのＹ電極それぞれに対応する少くとも一つのスイッチング素子を含める。      
【００２２】
このようなスキャンドライバ回路に含まれた少くとも一つのスイッチング素子及び少くとも一つのダイオードは一つの半導体チップに集積されることが望ましい。
【発明を実施するための最良の形態】
【００２３】
以下、添付した図面に基づき本発明に係る実施形態をさらに詳述する。
【００２４】
図２は本発明の一実施形態によるプラズマディスプレイパネルを備えた表示装置の一部を示した図であって、同図を参照してカラー３電極面放電プラズマディスプレイパネル(以下‘ＰＤＰ’と称する)表示装置２００を簡単に説明する。図２の表示装置２００は放送信号などの受信及び処理のための部分などが省略され、その説明の省く。 
【００２５】
本発明の一実施形態によるＰＤＰ表示装置２００はＰＤＰ２０１、Ｙ駆動部２０３、Ｚ駆動部２０５、アドレス駆動部２０７及び制御部２０９を含む。 
【００２６】
ＰＤＰ２０１はｍ個のＹ電極(Ｙ１〜Ｙｍ)とｍ個のＺ電極(Ｚ１〜Ｚｍ)が交代に一つずつ相互平行に配列されている。ここで、Ｙ電極(Ｙ１〜Ｙｍ)はスキャン電極とも、またはＺ電極(Ｚ１〜Ｚｍ)を共通(common)電極とも呼ぶ。 
【００２７】
また、ＰＤＰ２０１は各Ｙ電極及びZ電極と一定空間を挟んで直交するように配列されたk個のアドレス電極(Ａ１〜Ａｋ)を含む。この際、ｍ個のＹ電極及びＺ電極とｋ個のアドレス電極の交差点毎にセル(cell)が形成される。このような構造を通じて全画面がマトリックス状のＲ(Red)、Ｇ(Green)、Ｂ(Blue)セルで形成される。 
【００２８】
図２において、Ｙ駆動部２０３はＰＤＰ２０１のＹ電極と一対一対応してスキャン電極、すなわちＹ電極(Ｙ１〜Ｙｍ)にサステインパルス(sustain pulse)と走査パルス(scan pulse)を供給する。 
【００２９】
Ｚ駆動部２０５はＰＤＰ２０１のＺ電極と一対一対応して各Ｚ電極(Ｚ１〜Ｚｍ)にサステインパルスと走査パルスを供給する。 
【００３０】
アドレス駆動部２０７はＰＤＰ２０１のアドレス電極(Ａ１〜Ａｋ)と一対一対応して各アドレス電極(Ａ１〜Ａｋ)に書込パルス(writing pulse)を供給する。 
【００３１】
制御部２０９は外部から入力されるアナログ画像信号(IMAGE)をデジタル化して、デジタル画像信号を出力する。また、制御部２０９はクロック(CLK)、水平同期信号(HS: Horizontal Sync)、垂直同期信号(VS: Vertical Sync)等の制御用外部入力信号に応じて各種制御信号を発生させてＹ駆動部２０３、Ｚ駆動部２０５及びアドレス駆動部２０７を制御する。 
【００３２】
以下、ＰＤＰ２０１の駆動に関するもののうちＹ駆動部２０３の動作を中心に説明し、まず図３を参照してＹ駆動部２０３の出力波形を説明する。 
【００３３】
図３の波形に対応する駆動電源がＹ電極(Ｙ１〜Ｙｍ)それぞれに供給される。まず、セットアップ区間(ａ)を通じてセットアップ電圧ＶsetupがＹ電極に供給される。その後、Ｙ電極に印加される電圧はセットタウン区間(ｂ)を通じて、セットアップ電圧Ｖsetupからスキャン電圧−Ｖｙにダウンされる。 
【００３４】
セットダウン区間(ｂ)後に、アドレス区間、すなわちスキャン区間(ｃ)を経る。スキャン区間(ｃ)にＹ電極に印加される電圧は基準電圧Ｖｓｃとスキャン電圧−Ｖｙを切り換るスキャンパルスになる。基準電圧Ｖｓｃからスキャン電圧−Ｖｙに転換される時点はＹ電極毎に相違になる。言い換えれば、スキャン電圧−Ｖｙが維持される区間は各Ｙ電極毎に相違であり、スキャン電圧−Ｖｙが維持される区間が該当Ｙ電極の実質的な個別スキャン区間になる。また、スキャンパルスは個別スキャン区間の波形を指す。従って、図３のスキャン区間(ｃ)はそのような全体Ｙ電極(Ｙ１〜Ｙｍ)のための個別スキャン区間の和になる。但し、以下の説明では説明の便宜のため、個別スキャン区間でなくスキャン区間(ｃ)を中心にして説明する。
【００３５】
ここで、基準電圧Ｖｓｃ及びスキャン電圧−ＶｙはＰＤＰ２０１の特性によって多様なサイズを有することができ、基準電圧Ｖｓｃは約１０Ｖ、スキャン電圧−Ｖｙは約−１００Ｖであることが望ましい。 
【００３６】
スキャン区間(ｃ)後、サステイン放電のためのサステインパルスがＹ電極に印加される。  以下の図４ないし図７で説明されるPDP駆動回路の多様な実施例はスキャン区間(ｃ)の動作を中心に説明される。本発明の実施例による駆動回路はスキャン区間(ｃ)の動作のためのスキャンドライバを含み、スキャンドライバは各Ｙ電極のために一つのスイッチ素子だけを含んで動作するように構成される。
【００３７】
図４は本発明に係るプラズマディスプレイパネル駆動回路の第１実施例を示した回路図である。   
【００３８】
第１実施例による駆動回路４００は図２のＹ駆動部２０３に対応し、ＰＤＰ２０１のＹ電極(Ｙ１〜Ｙｍ)に所定の駆動電源を供給する。 
【００３９】
本発明の第１実施例による駆動回路４００はスキャンドライバ４０１、スキャンアップ(scan-up)部４０３、スキャンダウン(scan-down)部４０５、セットアップ(setup)供給部４０７、サステイン(sustain)部４０９、スイッチＱ２５及びスイッチＱ２６を含む。スキャンドライバ４０１の出力はＹ電極(Ｙ１〜Ｙｍ)に連結される。以下、スキャンドライバ４０１の動作を中心に説明する。
【００４０】
駆動回路４００に含まれたスイッチＱ２１ないしＱ２６などは多様な素子を使用できるが、ＭＯＳトランジスタまたはＩＧＢＴなどを使用することができる。また、駆動回路４００に含まれたスイッチＱ２１ないしＱ２６などは等価的に所定の内部ダイオードを含める。図４は説明と理解の便宜のため、各スイッチを示すのにあたってその内部ダイオードを識別番号なしに共に示した。また、実施例により、実際のダイオードを含んで設計することができる。 
【００４１】
スキャンドライバ４０１はＹ電極（Ｙ１〜Ｙｍ）それぞれに対応するｍ個のスイッチを含み、ｍ個のスイッチはノードｎ４３に並列に連結される。また、ｍ個のスイッチにはダイオードが並列に連結される。スキャンドライバ４０１に含まれたスイッチに並列に連結されたダイオードは内部ダイオードを使用できるが、別個のダイオードを使用するのが望ましい。  
【００４２】
スキャンドライバ４０１に含まれた各スイッチの出力であるドレイン端子は対応するＹ電極にそれぞれ連結される。従って。駆動回路４００はＹ電極(Ｙ１〜Ｙｍ)に対応するｍ個の出力端子を有する一つのスキャンドライバ４０１を含んだり、多数個のスキャンドライバを含んでＹ電極(Ｙ１〜Ｙｍ)にマッピングすることができる。
【００４３】
スキャンドライバ４０１は半導体工程により集積されたＩＣの形態を有しうる。 
【００４４】
図４はスキャンドライバ４０１に含まれる少くとも一つのスイッチを代表してスイッチＱ２１を示したし、そのスイッチに並列に連結されたダイオードを代表してダイオードＤ２１を示した。スイッチＱ２１はオープンドレイン状にＹ電極に連結される。スキャンドライバ４０１はスイッチングＱ２１のオンオフ動作によりＹ電極を駆動することができる。  スキャンドライバ４０１にはスキャンアップ部４０３、スキャンダウン部４０５、セットアップ供給部４０７及びサステイン部４０９から所定電圧の信号が入力される。 
【００４５】
スキャン区間(ｃ)において、基準電圧Ｖｓｃはスキャンアップ部４０３からノードｎ４３を通じて供給される。このような基準電圧ＶｓｃはスイッチＱ２１の内部ダイオード及びダイオードＤ２１を通じてＹ電極に供給される。この際スイッチＱ２１はオフ状態である。 
【００４６】
Ｙ電極の電圧が基準電圧Ｖｓｃからスキャン電圧−Ｖｙに遷移される時点になれば、所定の制御信号に応じてスキャンダウン部４０５のスイッチＱ２３Ａ及びＱ２１がターンオンされながら、スキャン電圧−ＶｙがＹ電極に供給される。  
【００４７】
スキャン区間(ｃ)を除いた区間では、スイッチＱ２１は常にターンオフ状態を維持する。  スキャンアップ部４０３はダイオードＤ２２及びスイッチＱ２２を含み、ダイオードＤ２２のアノードは基準電圧Ｖｓｃに接続され、スイッチＱ２２はダイオードＤ２２のカソードに直列に接続される。 
【００４８】
スイッチＱ２２は、スキャン区間(ｃ)の間所定の制御信号に応じてオンされ、ダイオードＤ２２を通じて基準電圧Ｖｓｃをスキャンドライバ４０１に供給する。スイッチＱ２２がオフされれば、スキャンドライバ４０１に供給される基準電圧Ｖｓｃが遮断される。スイッチＱ２２がオフされても、現在スキャン中でないＹ電極は対応するＺ電極の間に基準電圧をそのまま維持することができる。スイッチＱ２２に供給される所定の制御信号はタイミングコントローラ(図示せず)から供給されうる。
【００４９】
スキャンダウン部４０５はスイッチＱ２３及びスイッチＱ２３Ａを含む。スイッチＱ２３は、セットダウン区間(ｂ)の間スキャンドライバ４０１に供給される電圧をセットアップ電圧Ｖsetupからスキャン電圧−Ｖｙまでゆっくり下降させる。ここで、スキャン電圧−Ｖｙがセットダウン電圧として用いられる。スイッチＱ２３Ａはスキャン区間(ｃ)の間、スキャンアップ部４０３から供給する基準電圧Ｖｓｃをスキャン電圧−Ｖｙに急激に下降させる時使われる。
【００５０】
セットアップ供給部４０７はセットアップ電圧Ｖsetupに直列接続されたスイッチＱ２４を含む。スイッチＱ２４は、セットアップ区間(ｂ)の間、所定の制御信号に応じて動作することによってセットアップ電圧Ｖsetupをスキャンドライバ４０１に供給する。
【００５１】
サステイン部４０９はＰＤＰ２０１の画面の明るさが調整されるようにサステインパルスを生成して出力する。 
【００５２】
まず、サステイン部４０９に充電された電圧がスイッチＱ２５及びスイッチＱ２６を経由してスキャンドライバ４０１に出力する。これにより、スキャンドライバ４０１はサステイン部４０９から供給された電圧をＹ電極に供給する。
【００５３】
その後、所定の電圧源(図示せず)によるサステイン電圧ＶｓがスイッチＱ２５の内部ダイオード及びスイッチＱ２６を経由してスキャンドライバ４０１に供給されれば、スキャンドライバ４０１は供給されたサステイン電圧をＹ電極に供給することによってサステイン電圧ＶｓによりＹ電極ライン上の電圧レベルはサステイン電圧Ｖｓを維持するようになり、これにより放電セルでサステイン放電が起こる。
【００５４】
以下、第１実施例による駆動回路４００の動作を説明する。 
【００５５】
セットアップ区間(ａ)の間、スイッチＱ２４とスイッチＱ２５がターンオンし、サステイン部４０９からサステイン電圧Ｖｓが供給される。 
【００５６】
サステイン部４０９から供給されたサステイン電圧ＶｓはスイッチＱ２５の内部ダイオード、スイッチＱ２６及びスキャンドライバ４０１のダイオードＤ２１及びスイッチＱ２１の内部ダイオードを経由して各Ｙ電極(Ｙ１〜Ｙｍ)に供給される。Ｙ電極(Ｙ１〜Ｙｍ)の電圧は、図３のセットアップ区間(ａ)の開始のように、サステイン電圧Ｖｓに急激に上昇する。従ってＹ電極ラインの電圧はサステイン電圧Ｖｓに急激に上昇しつつＰＤＰ２０１の映像データが削除され、次の映像データが入力されうるように用意される。
【００５７】
一方、スイッチＱ２４のドレイン端子にはセットアップ電圧Ｖsetupが印加されている。可変抵抗ＶＲ４１によりチャネル幅が調節されたスイッチＱ２４は、ノードｎ４１の電圧を所定傾きに増加させることによって、セットアップ電圧Ｖsetupまで上昇させる。従って、駆動回路４００はセットアップ区間(ａ)の間セットアップ電圧を供給する。セットアップ電圧はスイッチＱ２６及びスキャンドライバ４０１のダイオードＤ２１及びスイッチＱ２１の内部ダイオードを経由して各Ｙ電極(Ｙ１〜Ｙｍ)に供給される。従って、Ｙ電極(Ｙ１〜Ｙｍ)には上昇ランプ(Ramp-up)波形の電圧が印加される。 
【００５８】
各Ｙ電極(Ｙ１〜Ｙｍ)に上昇ランプ波形の電圧が印加された後、スイッチＱ２４はターンオフされる。スイッチＱ２４がターンオフすれば、サステイン部４０９から供給されるサステイン電圧Ｖｓだけがノードｎ４１に印加され、これにより各Ｙ電極(Ｙ１〜Ｙｍ)の電圧はサステイン電圧Ｖｓに急激に下降する。 
【００５９】
その後、図３に示されたセットダウン区間(ｂ)において、スイッチＱ２６がターンオフされると共にスイッチＱ２３がターンオンされる。スイッチＱ２３は可変抵抗ＶＲ４３によりチャネル幅が調節され、ノードｎ４３の電圧を所定傾きに下降させることによって、スキャン電圧−Ｖｙまで下降させる。この際、下降ランプ波形(Ramp-down)の電圧が各Ｙ電極(Ｙ１〜Ｙｍ)に印加される。 
【００６０】
スキャン区間(ｃ)において、基準電圧ＶｓｃはダイオードＤ２２及びターンオンされたスイッチＱ２２を通じてノードｎ４３に供給される。このような基準電圧ＶｓｃはダイオードＤ２１及びスイッチＱ２１の内部ダイオードを通じてＹ電極に供給される。この際、スイッチＱ２１はオフ状態である。。 
【００６１】
Ｙ電極の電圧が基準電圧Ｖｓｃからスキャン電圧−Ｖｙに遷移される時点になれば、所定の制御信号に応じてスキャンダウン部４０５のスイッチＱ２３Ａ及びＱ２１がターンオンしつつスキャン電圧−ＶｙがＹ電極に供給される。 
【００６２】
このようなスキャン区間(ｃ)が完了しサステイン区間(ｄ)になれば、サステイン部４０９のサステインパルスがＰＤＰ２０１に出力されながらＰＤＰ２０１の画面の明るさが調整される。
【００６３】
以上の過程を通じて本発明の第１実施例によるＰＤＰ駆動回路が動作する。図１の実施例において、ダイオードＤ２２は通常のスイッチング素子を使用して設計することができ、図５はその実施例を示した図である。 
【００６４】
図５は本発明に係るプラズマディスプレイパネル駆動回路の第２実施例を示した回路図である。 
【００６５】
同図を参照すれば、本発明の第２実施例による駆動回路５００は、スキャンドライバ５０１、スキャンアップ部５０３、スキャンダウン部５０５、セットアップ供給部５０７、サステイン部５０９、スイッチＱ３５及びスイッチＱ３６を含む。 
【００６６】
第２実施例による駆動回路５００のスキャンドライバ５０１、スキャンアップ部５０３、スキャンダウン部５０５、セットアップ供給部５０７、サステイン部５０９、スイッチＱ３５及びスイッチＱ３６は図４に示された第１実施例の駆動回路４００に含まれたスキャンドライバ４０１、スキャンアップ部４０３、スキャンダウン部４０５、セットアップ供給部４０７、サステイン部４０９、スイッチＱ２５及びスイッチＱ２６に対応し、同様に動作する。
【００６７】
但し、第１実施例のスキャンアップ部４０３に含まれたダイオードＤ２２の代りに、スキャンアップ部５０３にはスイッチＱ３２Ａを含んでいる。図５のスイッチＱ３２ＡはスイッチＱ３２と共通ソース（common source）形態に形成されているが、これに限られない。ダイオードＤ２２の代りにスイッチＱ３２Ａを使用することにより、スイッチＱ３２Ａの両方向特性によって、基準電圧Ｖｓｃが供給される場合のノードｎ４３の電圧レベルをさらに安定的に維持することができる。 
【００６８】
スキャンドライバ５０１に含まれる少くとも一つのスイッチを代表してスイッチＱ３１を示したし、少くとも一つのスイッチに並列に連結されたダイオードを代表してダイオードＤ３１を示した。スイッチＱ３１はオープンドレイン形態にＹ電極に連結される。スキャンドライバ５０１はスイッチングＱ３１のオンオフ動作によりＹ電極を駆動できる。  
【００６９】
スキャンドライバ５０１にはスキャンアップ部５０３、スキャンダウン部５０５、セットアップ供給部５０７及びサステイン部５０９から所定電圧の信号が入力される。 
【００７０】
スキャン区間(ｃ)において、基準電圧Ｖｓｃはスキャンアップ部５０３からノードｎ４３を通じて供給される。このような基準電圧ＶｓｃはダイオードＤ３１及びスイッチＱ３１の内部ダイオードを通じてＹ電極に供給される。この際スイッチＱ３１はオフ状態である。 
【００７１】
Ｙ電極の電圧が基準電圧Ｖｓｃからスキャン電圧−Ｖｙに遷移される時点になれば、所定の制御信号に応じてスキャンダウン部５０５のスイッチＱ３３Ａ及びＱ３１がターンオンされながら、スキャン電圧−ＶｙがＹ電極に供給される。  
【００７２】
スキャン区間(ｃ)を除いた区間では、スイッチＱ３１は常にターンオフ状態を維持する。  以上の過程を通じて本発明の第２実施例によるＰＤＰ駆動回路５００が動作する。 
【００７３】
図６は本発明に係るプラズマディスプレイパネル駆動回路の第３実施例を示した回路図である。  
【００７４】
図６を参照すれば、本発明の第３実施例による駆動回路６００はスキャンドライバ６０１、スキャンアップ部６０３、スキャンダウン部６０５、セットアップ供給部６０７、サステイン部６０９、スイッチＱ４６及びスイッチＱ４７を含む。 
【００７５】
第３実施例による駆動回路６００のスキャンドライバ６０１、スキャンダウン部６０５、セットアップ供給部６０７、サステイン部６０９、スイッチＱ４６及びスイッチＱ４７は図４に示された第１実施例の駆動回路４００に含まれたスキャンドライバ４０１、スキャンダウン部４０５、セットアップ供給部４０７、サステイン部４０９、スイッチＱ２５及びスイッチＱ２６に対応し、同様に動作する。
【００７６】
サステイン部６０９に示されたスイッチＱ４５は説明の便宜のため示したものであり、図４、図５及び図７のサステイン部４０９、５０９、７０９にも含まれたものである。
【００７７】
但し、スキャンアップ部６０３の構成は図４のスキャンアップ部４０３の構成と異なり、別の動作で説明する。しかし、その動作によりＹ電極に出力される信号の形態は図３の波形と同様である。 
【００７８】
スキャンアップ部６０３には外部から供給される基準電圧Ｖｓｃがない。スキャンアップ部６０３は直列に連結された抵抗Ｒ４１とスイッチＱ４２を含み、スイッチＱ４７に並列に接続される。 
【００７９】
スキャン区間(ｃ)において、スイッチＱ４２が所定の制御信号に応じてターンオンされる場合、スキャンドライバ６０１に連結されたノードｎ６３の電圧はスキャン電圧−Ｖｙから基底準位(ground、０Ｖ)に高まる。その後該当Ｙ電極のスキャンする場合、スイッチＱ４２がターンオフされスキャンダウン部６０５のスイッチＱ４３Ａがターンオンされながらスキャン電圧−Ｖｙが該当Ｙ電極に供給される。従って、図３のスキャン区間(ｃ)に示された波形と違って、基底準位電圧(０Ｖ)とスキャン電圧−Ｖｙとの間で転換される波形がＹ電極に供給される。言い換えれば、スキャンパルスの基準電圧がＶｓでない０Ｖになる。 
【００８０】
スキャン区間(ｃ)のスキャンパルスは基準電圧とスキャン電圧−Ｖｙとの電圧差が大事であり、これは適用されるＰＤＰの特性によって違ってくる。従って、図４及び図５の駆動回路４００、５００が適用されたＰＤＰと同様な特性を有するＰＤＰに図６の駆動回路６００を適用する場合なら、スキャン電圧−Ｖｙは-１１０Ｖが望ましい。また、別の特性及び規格のＰＤＰに図６の駆動回路６００が適用されるとスキャン電圧−Ｖｙは−１１０Ｖでない他の値を有しうる。
【００８１】
スキャンドライバ６０１に含まれる少くとも一つのスイッチを代表してスイッチＱ４１を示したし、少くとも一つのスイッチに並列に連結されたダイオードを代表してダイオードＤ４１を示した。スイッチＱ４１はオープンドレイン形態にＹ電極に連結される。スキャンドライバ６０１はスイッチングＱ４１のオンオフ動作によりＹ電極を駆動することができる。 
【００８２】
スキャンドライバ６０１にはスキャンアップ部６０３、スキャンダウン部６０５、セットアップ供給部６０７及びサステイン部６０９から所定電圧の信号が入力される。 
【００８３】
スキャン区間(ｃ)の開始において、スイッチＱ４１はオフされた状態でありスキャンアップ部６０３から基底準位電圧(０Ｖ)がノードｎ６３に供給される。 
【００８４】
Ｙ電極の電圧が基底準位電圧からスキャン電圧−Ｖｙに遷移される時点になれば、所定の制御信号に応じてスキャンダウン部６０５のスイッチＱ４３Ａ及びＱ４１がターンオンされながら、スキャン電圧−ＶｙがＹ電極に供給される。  
【００８５】
スキャン区間(ｃ)を除いた区間では、スイッチＱ４１は常にターンオフされた状態を維持する。  
【００８６】
以上の過程を通じて本発明の第３実施例によるＰＤＰ駆動回路６００が動作する。 
【００８７】
図７は本発明に係るプラズマディスプレイパネル駆動回路の第４実施例を示した回路図である。 
【００８８】
図７を参照すれば、本発明の第４実施例による駆動回路７００はスキャンドライバ７０１、スキャンアップ部７０３、スキャンダウン部７０５、セットアップ供給部７０７及びサステイン部７０９で構成される。 
【００８９】
スキャンドライバ７０１はスキャンアップ部７０３、スキャンダウン部７０５、セットアップ供給部７０７、サステイン部７０９、スイッチＱ５５及びスイッチＱ５６を含む。      
【００９０】
第４実施例による駆動回路７００のスキャンドライバ７０１、スキャンダウン部７０５、セットアップ供給部７０７、サステイン部７０９、スイッチＱ４６及びスイッチＱ４７は図４に示された第１実施例の駆動回路４００に含まれたスキャンドライバ４０１、スキャンダウン部４０５、セットアップ供給部４０７、サステイン部４０９、スイッチＱ２５及びスイッチＱ２６に対応し、同様に動作する。
【００９１】
但し、スキャンアップ部７０３の構成は図４のスキャンアップ部４０３の構成と異なり、別の動作で説明される。その動作によりＹ電極に出力される信号の形態は図３の波形と同一である。 
【００９２】
スキャンアップ部７０３は、互いに直列に連結されたスイッチＱ５２と抵抗Ｒ７１を含む。スイッチＱ５２のドレイン端子は基準電圧Ｖｓｃに連結され、抵抗Ｒ７１の一側端子はスキャンドライバ７０１の出力に連結される。 
【００９３】
スイッチＱ５２は所定の制御信号に応じてオンされる場合基準電圧Ｖｓｃをスキャンドライバ７０１に供給し、オフされる場合基準電圧を遮断させる。 
【００９４】
スキャン区間(ｃ)において、Ｙ電極に基準電圧Ｖｓｃが必要な場合、スイッチＱ５１をオフ状態に維持することによって、スイッチＱ５２から印加されるＶｓｃがＹ電極に供給されるようにする。その後スキャン電極−Ｖｙに転換される時点で、スイッチＱ５１とスイッチＱ５３Ａがターンオンされれば基準電圧Ｖｓｃにも関わらず、Ｙ電極にスキャン電圧−Ｖｙが供給される。 
【００９５】
従って、スキャン区間(ｃ)の間、スキャンアップ部７０３とスキャンダウン部７０５に備えられたスイッチＱ５２とスイッチＱ５３Ａが全てターンオン状態を維持し、スイッチＱ５１の動作によりスキャンパルスが作られる。
【００９６】
このようなスキャン過程が完了すれば、ＰＤＰにサステイン部７０９のパルス波形の信号が出力されることによってＰＤＰの画面の明るさが調整される。
【００９７】
以上の過程を通じて本発明の第４実施形態によるＰＤＰ駆動回路７００が動作する。 
【００９８】
以上述べたように、本発明のＰＤＰ駆動回路は従来のスキャンドライバが一対のスイッチング素子で構成されたものを単一スイッチング素子で構成してＰＤＰを駆動させることによってスイッチング素子数を減らし、駆動回路の作製時かかる製造コストを節減することができる。
【００９９】
本発明は方法、装置(device)及びシステムで具現できる。 
【０１００】
また、本発明がシミュレーションなどのためのコンピュータソフトウェアで具現される時は、本発明の構成要素は必要な動作の遂行に必要なコードセグメントに代えられる。プログラムやコードセグメントはマイクロプロセッサにより処理できる媒体に貯蔵でき、伝送媒体や通信ネットワークを介してキャリア波形(carrier waves)と結合されたコンピュータデータとして伝送されうる。
【０１０１】
マイクロプロセッサにより処理できる媒体は電子回路、半導体メモリ素子、ＲＯＭ、フラッシュメモリ、ＥＥＰＲＯＭ、フロッピディスク、光学的ディスク、ハードディスク、光ファイバ、無線ネットワークなどのように情報を伝達し貯蔵できるものを含む。また、コンピュータデータは電気的ネットワークチャネル、光ファイバ、電磁気場、無線ネットワーク等を通じて伝送できるデータを含む。
【０１０２】
以上、本発明の極めて適宜な実施例について示しかつ説明したが、本発明は前述した特定の実施例に限らず、特許請求の範囲で請求する本発明の要旨から逸脱しない範囲内で、本発明の属する技術分野における通常の知識を有する者により多様に変形・実施が可能である。このような変形実施は本発明の技術的思想や展望から個別的に理解されてはいけない。
【図面の簡単な説明】
【０１０３】
【図１】従来のプラズマディスプレイパネルに駆動信号を供給するためのスキャン駆動回路を示す図、
【図２】本発明の一実施形態によるプラズマディスプレイパネル表示装置の一部を示した図
【図３】本発明の一実施形態によるプラズマディスプレイパネルのＹ端子電圧を示した波形図、
【図４】本発明に係るプラズマディスプレイパネル駆動回路の第１実施例を示した回路図、
【図５】本発明に係るプラズマディスプレイパネル駆動回路の第２実施例を示した回路図、
【図６】本発明に係るプラズマディスプレイパネル駆動回路の第３実施例を示した回路図、
【図７】本発明に係るプラズマディスプレイパネル駆動回路の第４実施例を示した回路図である。
【図１】
2006276866.tif 000003
【図２】
2006276866.tif 000004
【図３】
2006276866.tif 000005
【図４】
2006276866.tif 000006
【図５】
2006276866.tif 000007
【図６】
2006276866.tif 000008
【図７】
2006276866.tif 000009